(57)【要約】【課題】装置本体の小型化および汎用性を保ちつつ、撮影時の操作性に優れた撮像装置を提供する。【解決手段】デジタルカメラ１００は、ボタン操作モードでは、ユーザがカメラ本体１１０を把持した手でレリーズボタン４０を押下したときに撮影動作を実行する。カメラ本体１１０にグリップ２００が接続されると、デジタルカメラ１００は、ボタン操作モードからキャラクタ操作モードに切替えられる。キャラクタ操作モード時は、カメラ本体１１０の背面の表示部５０に静止画撮影用キャラクタ８０および動画撮影用キャラクタが表示される。これらのキャラクタは、ユーザがグリップを把持した手で操作可能な位置に配置される。デジタルカメラ１００は、表示部５０に積層されたタッチパネル５２により静止画撮影用キャラクタ８０の操作を検出したときに静止画を撮影し、動画撮影用キャラクタの操作を検出したときに動画撮影を開始する。【選択図】図３
2012074945.tif 000002
【特許請求の範囲】
【請求項１】
装置本体に撮影補助手段を装着するための装着手段と、
表示画面上にタッチパネルが設けられた表示手段と、
前記装着手段に前記撮影補助手段が装着されたときに、前記表示手段に、自機が実行し得る動作を表わすキャラクタを表示するキャラクタ表示手段とを備える、撮像装置。
【請求項２】
前記タッチパネル上で前記キャラクタに対する操作が行なわれたことを検出する操作検出手段と、
前記操作検出手段により前記キャラクタの操作が検出されたときに、当該キャラクタが表わす動作を実行するための手段とをさらに備える、撮像装置。
【請求項３】
前記撮像装置は、静止画撮影および動画撮影が可能であり、
前記キャラクタ表示手段は、静止画撮影を指示するための第１のキャラクタおよび動画撮影を指示するための第２のキャラクタの少なくとも一方を表示する、請求項１に記載の撮像装置。
【請求項４】
前記キャラクタは、前記表示手段の表示画面上に、前記グリップを把持した手で操作が可能な位置に配置される、請求項１または請求項２に記載の撮像装置。
【発明の詳細な説明】
【技術分野】
【０００１】
この発明は、撮像装置に関し、より特定的には、静止画撮影および動画撮影が可能な撮像装置に関する。
【背景技術】
【０００２】
静止画撮影および動画撮影が可能な撮像装置としては、特開２００６−１４８３４５号公報（特許文献１）には、カメラ本体の左側端部に静止画撮影用グリップが一体に形成されており、静止画撮影用グリップを把持した手で操作可能な位置に静止画撮影ボタンが配置されるとともに、カメラ本体の下面に動画撮影用グリップが設けられており、動画撮影用グリップを把持した手で操作可能な位置に動画撮影ボタンが配置されたデジタルカメラが開示されている。
【０００３】
この特許文献１に記載のデジタルカメラでは、静止画撮影用グリップと動画撮影用グリップとを備えることによって、静止画撮影および動画撮影の各々に適した構え方でカメラ本体を把持することができる。これにより、カメラの操作性を向上させることができる。
【先行技術文献】
【特許文献】
【０００４】
【特許文献１】特開２００６−１４８３４５号公報
【発明の概要】
【発明が解決しようとする課題】
【０００５】
上記の特許文献１に記載されるデジタルカメラにおいて、動画撮影用グリップは、カメラ本体の下部に設けられた収納部に収納可能に構成されており、撮影者によって収納部から引き出されて把持される。これにより、デジタルカメラの携帯性を高めている。
【０００６】
しかしながら、この特許文献１では、動画撮影用グリップを収納するのに十分なスペースを確保するように収納部を設ける必要があるため、カメラ本体が大型化されてしまうという問題があった。また、収納部を配置する位置によっては、カメラ本体に内蔵される他の構成部品のレイアウトに制約が生じる可能性があった。
【０００７】
さらに、特許文献１に記載される動画撮影用グリップには、第１スイッチ、第２スイッチおよび第２圧力センサが設けられており、これらがカメラ本体に搭載されたシステムコントローラに電気的に接続されている。そして、かかる構成において、システムコントローラは、第１および第２スイッチから操作信号を取得している間、動画撮影を実行させる。また、システムコントローラは、第２圧力センサから検出信号を取得すると、動画撮影ボタンの操作を有効化、静止画撮影ボタンを無効化する。
【０００８】
このように、特許文献１では、動画撮影用グリップとシステムコントローラとを電気的に接続し、動画撮影用グリップから出力される信号に基づいて動画撮影および静止画撮影の切替えを可能としている。しかしながら、その一方で、動画撮影用グリップは専用のものが必要となり、汎用性に乏しいという問題があった。
【０００９】
それゆえ、この発明はかかる課題を解決するためになされたものであり、その目的は、装置本体の小型化および汎用性を保ちつつ、撮影時の操作性に優れた撮像装置を提供することである。
【課題を解決するための手段】
【００１０】
この発明のある局面に従えば、撮像装置は、装置本体に撮影補助手段を装着するための装着手段と、表示画面上にタッチパネルが設けられた表示手段と、装着手段に撮影補助手段が装着されたときに、表示手段に、自機が実行し得る動作を表わすキャラクタを表示するキャラクタ表示手段とを備える。
【００１１】
好ましくは、撮像装置は、タッチパネル上でキャラクタに対する操作が行なわれたことを検出する操作検出手段と、操作検出手段によりキャラクタの操作が検出されたときに、当該キャラクタが表わす動作を実行するための手段とをさらに備える。
【００１２】
好ましくは、撮像装置は、静止画撮影および動画撮影が可能であり、キャラクタ表示手段は、静止画撮影を指示するための第１のキャラクタおよび動画撮影を指示するための第２のキャラクタの少なくとも一方を表示する。
【００１３】
好ましくは、キャラクタは、表示手段の表示画面上に、グリップを把持した手で操作が可能な位置に配置される。
【発明の効果】
【００１４】
この発明によれば、装置本体の小型化および汎用性を保ちつつ、撮影時の操作性を向上できる。
【図面の簡単な説明】
【００１５】
【図１】この発明の形態に係る撮像装置の一例の外観斜視図である。
【図２】この発明の形態に係る撮像装置の一例の外観斜視図である。
【図３】デジタルカメラの操作モードを説明する図である。
【図４】撮影指示用キャラクタの表示例を示す図である。
【図５】図１のデジタルカメラの電気的構成を説明するブロック図である。
【図６】この発明の実施の形態に係るデジタルカメラによる撮影処理を示すフローチャートである。
【図７】この発明の実施の形態に係るデジタルカメラによる撮影処理を示すフローチャートである。
【発明を実施するための形態】
【００１６】
以下、本発明の実施の形態について、図面を参照しながら詳細に説明する。なお、図中の同一または相当する部分には同一符号を付してその説明は繰返さない。
【００１７】
図１および図２は、この発明の形態に係る撮像装置の一例の外観斜視図である。
図１を参照して、本実施の形態に係る撮像装置であるデジタルカメラ１００は、カメラ本体１１０の前面に、レンズ鏡筒２０およびストロボ発光窓３０が設けられており、上面には、レリーズボタン４０、電源ボタン４２およびモードダイヤル４４が設けられている。また、カメラ本体１１０の側面には、外部メモリカードが着脱自在に装着されるメモリカードスロットおよびＵＳＢコネクタを覆う開閉自在な蓋（ともに図示せず）が設けられている。
【００１８】
レンズ鏡筒２０は、撮像レンズ１が内部に組み込まれている。レンズ鏡筒２０は、沈胴式の鏡筒であり、２重に嵌合された可動鏡筒を有している。ユーザが電源ボタン４２をオンすると、駆動モータにより可動鏡筒は、図１に示す撮影状態位置までカメラ本体１１０から繰り出される。そして、この状態から電源ボタン４２をオフすると、駆動モータにより可動鏡筒は、カメラ本体１１０の内部に埋設され、いわゆる沈胴状態となる。
【００１９】
モードダイヤル４４が回動操作されると、静止画撮影を行なう静止画撮影モード、動画撮影を行なう動画撮影モード、撮影した画像を表示部１３（図４）に表示する再生モード、および各種設定を行なう設定モードが切替えられる。
【００２０】
レリーズボタン４０は、２段階押しのスイッチとなっている。レリーズボタン４０は、カメラ本体１１０を把持した手で操作可能な位置に配置されている。被写体のフレーミングの後に、レリーズボタン４０を軽く押圧（半押し）すると、露出条件の決定、自動焦点調整などの各種撮影準備処理が施される。この状態でレリーズボタン４０をもう一度強く押圧（全押し）すると、決定された露出条件、および調整された焦点距離の下で撮影が行なわれる。
【００２１】
図２を参照して、カメラ本体１１０の背面には、表示部５０、撮像レンズ１のズームレンズをワイド側、テレ側に変倍するズーム操作ボタン４６、表示部５０にメニュー画面を表示させるためのメニューボタン４８が設けられている。表示部５０は、たとえば液晶ディスプレイ（ＬＣＤ）、有機ＥＬ（Electro Luminescence）ディスプレイ等から構成される。表示部５０は、外部からの表示画面上の接触位置を検出するためのタッチパネル５２を含んでいる。
【００２２】
タッチパネル５２は、表示部５０の表示画面に積層して設けられ、外部からの接触を検出する。タッチパネル５２で検出した接触の発生領域に関する情報を含む接触状態は、上記レリーズボタン４０、電源ボタン４２およびモードダイヤル４４の操作を検出するための操作検出部（図示せず）によって検出される。この操作検出部の検出結果に応じて、デジタルカメラ１００の撮影動作が制御される。
【００２３】
図２に示すように、カメラ本体１１０の底面には、カメラ本体１１０にグリップ２００を着脱自在に接続するための接続部７０が設けられている。この接続部７０には、たとえばカメラ本体１１０を三脚に固定するために設けられた三脚穴を利用することができる。グリップ２００の一端にはネジ部２０２が設けられており、このネジ部２０２を三脚穴に嵌合させることによって当該一端がカメラ本体１１０の底面に支持される。
【００２４】
なお、接続部７０には、カメラ本体１１０にグリップ２００が接続されたことを検出するための接続検出部（図示せず）が設けられている。この接続検出部は、たとえばマイクロスイッチ等により構成されている。
【００２５】
図１および図２に示すように、グリップ２００は、カメラ本体１１０の底面に着脱自在に接続される。グリップ２００は、一端が接続部を介してカメラ本体１１０の底面に支持され、他端がカメラ本体１１０の底面から下方に伸びる向きに取り付けられている。なお、グリップ２００の一端をカメラ本体１１０に対して回転自在に支持する構成とすることにより、カメラ本体１１０に対するグリップ２００の取り付け角度が調整可能となる。これにより、動画撮影時において、撮影状況に応じてグリップ２００の取り付け角度を調整することにより、最適な状態で撮影を行なうことができる。
【００２６】
上記の構成を有するデジタルカメラ１００は、操作モードとして、カメラ本体１１０の上面に配された撮影用ボタン（レリーズボタン４０およびモードダイヤル４４等）を操作して静止画または動画の撮影を行なう「ボタン操作モード」と、カメラ本体１１０の背面の表示部５０に表示された撮影用キャラクタを操作して静止画または動画の撮影を行なう「キャラクタ操作モード」とを有している。これらのボタン操作モードと、キャラクタ操作モードとの切替えは、カメラ本体１１０にグリップ２００が接続されたことを検出する接続検出部の検出結果に基づいて行なわれる。
【００２７】
図３は、デジタルカメラ１００の操作モードを説明する図である。図３（ａ）は、ボタン操作モードにおける撮影動作を示す。図３（ａ）を参照して、静止画を撮影するときには、デジタルカメラ１００は、モードダイヤル４４によって静止画撮影モードに設定される。静止画撮影モード時には、スルー画像（被写界のリアルタイム動画像）が表示部５０に表示される。この状態で、ユーザによってレリーズボタン４０が半押しされると、カメラ本体１１０内部のＣＰＵによってＡＥおよびＡＦ処理が行なわれる。さらにレリーズボタン４０が全押しされると、ＣＰＵによって画像記録処理が実行される。
【００２８】
また、図３（ａ）において動画を撮影するときには、モードダイヤル４４によって動画撮影モードに設定される。動画撮影モード時には、レリーズボタン４０の全押し操作に連動して動画記録動作が開始し、もう一度レリーズボタン４０を押下すると動画記録動作が停止する。なお、レリーズボタン４０を押下継続している期間に、録画動作を行ない、押下解除によって録画を停止するようにしてもよい。
【００２９】
なお、レリーズボタン４０は、ユーザがカメラ本体１１０を把持した手で操作可能な位置に設けられているため、ユーザは容易にレリーズボタン４０を押下することができ、手ぶれが生じるのを防止することができる。
【００３０】
これに対して、図３（ｂ）は、キャラクタ操作モードにおける撮影動作を示す。図３（ｂ）に示すように、カメラ本体１１０にグリップ２００が接続されることにより、デジタルカメラ１００は、ボタン操作モードからキャラクタ操作モードに切替えられる。
【００３１】
キャラクタ操作モードでは、カメラ本体１１０の背面の表示部５０に、撮影を指示するためのキャラクタが表示される。このキャラクタは、撮影の指示内容を表わす文字画像またはアイコンを用いて生成される。
【００３２】
図４は、撮影指示用キャラクタの表示例を示す図である。図４を参照して、表示部５０には、静止画撮影を指示するための静止画撮影用キャラクタ８０と、動画撮影を指示するための動画撮影用キャラクタ８２とが表示される。
【００３３】
静止画撮影用キャラクタ８０および動画撮影用キャラクタ８２は、それぞれ、ユーザがグリップ２００を把持した手の少なくとも一部の指で接触することができる位置に配置される。なお、図４では、静止画撮影用キャラクタ８０と動画撮影用キャラクタ８２とが表示部５０の左右方向に並んで配置されているが、ユーザがグリップ２００を把持した手で接触することができる限りにおいて、これら２つのキャラクタ８０，８２の並べ方に制限はない。
【００３４】
さらに、静止画撮影用キャラクタ８０および動画撮影用キャラクタ８２に加えて、撮影条件を指示するためのキャラクタを表示する構成としてもよい。たとえば、撮像レンズ１のズームレンズをワイド側、テレ側に変倍するためのズーム操作用のキャラクタや、ストロボの点灯を制御するためのキャラクタが含まれる。また、デジタルカメラ１００の電源のオン／オフ操作をするための電源キャラクタを表示させることもできる。なお、これらのキャラクタについても、ユーザがグリップ２００を把持した手で接触可能な位置に配置することにより、デジタルカメラの操作性をさらに向上できる。
【００３５】
図３（ｂ）を再び参照して、キャラクタ操作モードにおいては、ユーザは、カメラ本体１１０に接続されたグリップ２００を把持する。そして、ユーザが、このグリップ２００を支持する指の少なくとも一部で、撮影指示用キャラクタ８０，８２のいずれかを接触すると、撮影動作が開始される。たとえば、ユーザが、動画撮影用キャラクタ８２を接触すると、動画記録動作が開始される。さらに、動画記録動作の実行中においてユーザが動画撮影用キャラクタ８２を接触すると、動画記録動作が停止する。
【００３６】
一方、ユーザが、静止画撮影用キャラクタ８０を接触することにより、静止画が撮影される。このとき、静止画は、スルー画像の中央にピントが自動的に調整された状態で撮影される。あるいは、タッチパネル５２がスルー画像中での接触の発生領域を検出し、その検出された接触の発生領域にピントを自動的に調整するようにしてもよい。
【００３７】
このように、ユーザはカメラ本体１１０に装着されたグリップ２００を把持することにより、撮影に適した構え方でカメラ本体１１０を把持することができるため、長時間の動画撮影でも疲れずに撮影を行なうことができる。
【００３８】
さらに、グリップ２００を把持したまま動画撮影用キャラクタ８２を接触することにより、動画撮影を実行／停止することができるため、デジタルカメラ１００の操作性を向上できるとともに、手ぶれの発生を防止することができる。
【００３９】
また、ユーザは、動画撮影中であっても、グリップ２００を把持したまま静止画撮影用キャラクタ８０を接触することにより、静止画を撮影することができる。このような構成とすることにより、キャラクタ操作モードの実行中において、ユーザは、動画撮影から静止画撮影に切替えるための操作を行なうことなく、静止画を撮影できるため、撮影チャンスを逃すことを防止できる。
【００４０】
以下に、本実施の形態に係るデジタルカメラ１００の制御構造を、図面を参照して説明する。
【００４１】
図５は、図１のデジタルカメラ１００の電気的構成を説明するブロック図である。
図５を参照して、デジタルカメラ１００は、撮像レンズ１と、絞り機構２と、撮像素子（ＣＣＤ：Charge Coupled Device）３と、ドライバ６，７，８と、ＣＤＳ／ＡＧＣ／ＡＤ回路４と、信号処理部５と、中央制御回路（ＣＰＵ：Central Processing Unit）１０と、メモリ制御部６０と、ＳＤＲＡＭ６２と、表示制御部６４と、表示部５０と、圧縮伸張処理部６８と、接続部７０と、接続検出部７２と、Ｉ／Ｆ回路７４と、記憶媒体７６と、フラッシュメモリ７８とを備える。
【００４２】
撮像レンズ１は、主レンズ、ズームレンズおよびフォーカスレンズから構成される。撮像レンズ１の背後には、絞り機構２が配置されている。ズームレンズ、フォーカスレンズおよび絞り機構２のそれぞれには、モータが接続されている。これらのモータは、ステッピングモータであり、ＣＰＵ１０に接続されたドライバ６，７から送信される駆動パルスにより動作制御される。
【００４３】
絞り機構２の背後には、ＣＣＤ３が配置されている。ＣＣＤ３には、ＣＰＵ１０によって制御されるタイミングジェネレータ（図示せず）が、ドライバ８を介して接続されている。ドライバ８は、タイミングジェネレータから入力されるタイミング信号に基づいて、ＣＣＤ３の各セルの蓄積電荷量と電荷読み出しタイミングとを制御する。
【００４４】
図５のデジタルカメラ１００において、被写界の光学像は、撮像レンズ１および絞り機構２を通してＣＣＤ３の受光面つまり撮像面に照射される。絞り機構２は、撮像レンズ１を通過する光の量を調整する。
【００４５】
ＣＣＤ３は、光電変換によって、撮像面に結像した被写界の光学像の明暗に対応する電荷つまりＲａｗ画像信号を生成する。なお、撮像素子には、ＣＣＤ以外にＣＭＯＳ（Complementary Metal-Oxide Semiconductor）が用いられる。
【００４６】
ＣＣＤ３の出力信号（ＲＧＢ信号）は、ＣＤＳ（相関二重サンプリング）回路、ＡＧＣ（自動利得制御）回路およびＡ／Ｄ（アナログ／デジタル）変換回路を備えたＣＤＳ／ＡＤＣ／ＡＤ回路４に送られる。ＣＤＳ／ＡＤＣ／ＡＤ回路４に入力したＣＣＤ３の出力信号は、ＣＤＳ回路で相関二重サンプリング処理された後、ＡＧＣ回路で最適な振幅にゲイン調整される。ＡＧＣ回路の出力信号は、Ａ／Ｄ変換回路によってデジタル画像信号に変換される。Ａ／Ｄ変換回路によって得られたデジタル画像信号は信号処理部５に送られ、所定の信号処理（ホワイトバランス調整、色分離、ＹＵＶ変換など）が施されることにより、ＹＵＶ形式の画像データに変換される。信号処理部５によって生成された画像データは、メモリ制御部６０によってＳＤＲＡＭ６２に記憶される。表示制御部６４は、ＳＤＲＡＭ６２に記憶された画像データを表示部５０にスルー画像として表示する。
【００４７】
圧縮伸張処理部６８は、ＹＵＶ形式に変換された画像データに、所定の圧縮形式（たとえば、ＪＰＥＧ形式）で圧縮処理を施す。また、動画撮影時には、ＭＰＥＧ形式等の圧縮形式で圧縮処理を施す。圧縮処理が施された画像データは、Ｉ／Ｆ回路７４を介して記憶媒体７６に記憶される。
【００４８】
デジタルカメラ１００の各部は、ＣＰＵ１０によって制御される。ＣＰＵ１０には、ボタン操作部４００およびタッチパネル５２が接続されている。ボタン操作部４００には、電源ボタン４２、モードダイヤル４４およびレリーズボタン４０の他、撮像レンズ１のズームレンズをワイド側、テレ側に変倍するズーム操作ボタン、表示部５０にメニュー画面を表示させるためのメニューボタンなどが設けられている。
【００４９】
タッチパネル５２は、表示部５０への外部からの接触を検出する。具体的には、タッチパネル５２は、その表面に所定の閾値よりも大きい圧力が加えられている状態を接触として検出する。そして、タッチパネル５２は、検出した接触の発生領域に関する情報を含む接触状態をＣＰＵ１０に出力する。
【００５０】
ＣＰＵ１０には、さらに接続検出部７２が接続されている。接続検出部７２は、たとえばマイクロスイッチ等からなり、接続部７０にグリップ２００が接続されたことを検出する。接続検出部７２は、グリップ２００の接続を示す信号をＣＰＵ１０へ出力する。
【００５１】
具体的には、ＣＰＵ１０は、静止画処理部１２と、動画処理部１４と、操作検出部１６と、モード切替部１８とを含む。
【００５２】
モード切替部１８は、接続検出部７２で検出された結果に基づいて、デジタルカメラ１００の操作モードの切替えを行なう。具体的には、モード切替部１８は、接続検出部７２からグリップ２００の接続を示す信号が検出されないときには、操作モードを「ボタン操作モード」に設定する。そして、接続検出部７２からグリップ２００の接続を示す信号が検出されると、操作モードを、「ボタン操作モード」から「キャラクタ操作モード」に切替える。
【００５３】
操作検出部１６は、ボタン操作部４００の操作およびタッチパネル５２の操作を検出し、その検出結果を静止画処理部１２および動画処理部１４に出力する。
【００５４】
静止画処理部１２は、モード切替部１８によってボタン操作モードに操作モードが切替えられると、ボタン操作部４００の操作に従って各部を制御して、静止画撮影を実行させる。具体的には、ボタン操作モード時には、レリーズボタン４０の操作、モードダイヤル４４の操作などのユーザの操作を操作検出部１６が検出し、その検出結果を静止画処理部１２へ出力する。静止画処理部１２は、レリーズボタン４０が押下されたことが検出されたときに、静止画を撮影する。そして、静止画処理部１２は、ＣＤＳ／ＡＧＣ／ＡＤ回路４および信号処理部５を制御することにより撮影画像を処理して記憶媒体７６に記録する。
【００５５】
静止画処理部１２は、さらに、モード切替部１８によってキャラクタ操作モードに操作モードが切替えられると、タッチパネル５２の操作に従って各部を制御して、静止画撮影を実行させる。具体的には、操作検出部１６は、タッチパネル５２によって検出された、接触の発生領域に関する情報を含む接触状態に基づいて、静止画撮影用キャラクタ８０の操作を検出し、その検出結果を静止画処理部１２へ出力する。静止画処理部１２は、静止画撮影用キャラクタ８０が接触されたことが検出されたときに、静止画を撮影する。
【００５６】
動画処理部１４は、モード切替部１８によってボタン操作モードに操作モードが切替えられると、ボタン操作部４００の操作に従って各部を制御して、動画撮影を実行させる。具体的には、操作検出部１６は、レリーズボタン４０の全押し操作を検出し、その検出結果を動画処理部１４へ出力する。動画処理部１４は、レリーズボタン４０の全押し操作が検出されたときに動画撮影を開始する。さらに、レリーズボタン４０がもう一度押下されたことが検出されたときに動画撮影を停止する。動画処理部１４は、ＣＤＳ／ＡＧＣ／ＡＤ回路４および信号処理部５を制御することにより撮影画像を処理して記憶媒体７６に記録する。
【００５７】
動画処理部１４は、さらに、モード切替部１８によってキャラクタ操作モードに操作モードが切替えられると、タッチパネル５２の操作に従って各部を制御して、動画撮影を実行させる。この動画撮影では、操作検出部１６は、タッチパネル５２によって検出された、接触の発生領域に関する情報を含む接触状態に基づいて、動画撮影用キャラクタ８２の操作を検出し、その検出結果を動画処理部１４へ出力する。動画処理部１４は、動画撮影用キャラクタ８２が接触されたことを検出したときには、動画撮影を開始する。さらに、動画撮影の実行中に動画撮影用キャラクタ８２が接触されたことを検出したときには、動画撮影を停止する。
【００５８】
なお、キャラクタ操作モードの実行中に静止画を撮影するときには、スルー画像の中央にピントが自動的に調整された状態で撮影が行なわれる。あるいは、タッチパネル５２がスルー画像中での接触の発生領域を検出し、その検出された接触の発生領域にピントを自動的に調整するようにしてもよい。
【００５９】
以上の処理は、図６および図７に示すような処理フローにまとめることができる。
（処理フロー）
図６および図７は、本実施の形態に係るデジタルカメラ１００が撮影を行なう場合の処理を示すフローチャートである。図６および図７の各ステップは、ＣＰＵ１０が図５に示す各制御ブロックとして機能することで実現される。
【００６０】
図６を参照して、最初に、ＣＰＵ１０の操作検出部１６は、電源ボタン４２の操作状態を検出し、電源ボタン４２が操作（オン）されているか否かを判定する（ステップＳ０１）。
【００６１】
電源ボタン４２が操作されていないとき（ステップＳ０１のＮＯ判定時）には、処理を終了する。一方、電源ボタン４２が操作されているとき（ステップＳ０１のＹＥＳ判定時）には、接続検出部７２は、カメラ本体１１０に対するグリップ２００の接続（装着）を検出する（ステップＳ０２）。
【００６２】
接続検出部７２によってカメラ本体１１０にグリップ２００が接続されていることが検出されたときには（ステップＳ０２のＹＥＳ判定時）、ＣＰＵ１０のモード切替部１８は、デジタルカメラ１００の操作モードをキャラクタ操作モードに設定する（ステップＳ０３）。
【００６３】
操作モードがキャラクタ操作モードに切替えられると、最初に、カメラ本体１１０の表示部５０には、図４に示す静止画撮影用キャラクタ８０および動画撮影用キャラクタ８２が、スルー画像に重畳して表示される（ステップＳ０４）。さらに、これらの撮影指示用キャラクタとともに、撮影条件設定用のキャラクタおよび電源操作用のキャラクタなどが表示される。
【００６４】
次に、ＣＰＵ１０の操作検出部１６は、タッチパネル５２の操作を検出する。操作検出部１６は、タッチパネル５２によって検出された、接触の発生領域に関する情報を含む接触状態に基づいて、撮影指示用キャラクタ８０，８２（図４）が操作（接触）されたか否かを判定する。具体的には、操作検出部１６は、動画撮影用キャラクタ８２が操作されたか否かを判定する（ステップＳ０５）。動画撮影用キャラクタ８２が操作されたと判定されたとき（ステップＳ０５のＹＥＳ判定時）には、ＣＰＵ１０の動画処理部１４は、各部を制御して動画撮影を開始する（ステップＳ０６）。
【００６５】
この動画撮影の実行中において、操作検出部１６は、動画撮影用キャラクタ８２がさらに操作されたか否かを判定する（ステップＳ０７）。そして、動画撮影用キャラクタ８２が操作されていないと判定されたとき（ステップＳ０７のＮＯ判定時）には、処理はステップＳ０６に戻り、動画処理部１４が動画撮影を継続する。一方、動画撮影用キャラクタ８２が操作されたと判定されたとき（ステップＳ０７のＹＥＳ判定時）には、動画処理部１４は、動画撮影を停止する（ステップＳ０８）。
【００６６】
これに対して、ステップＳ０５において動画撮影用キャラクタ８２が操作されていないと判定されたとき（ステップＳ０５のＮＯ判定時）には、操作検出部１６は、静止画撮影用キャラクタ８０が操作されたか否かを判定する（ステップＳ１１）。静止画撮影用キャラクタ８０が操作されたと判定されたとき（ステップＳ１１のＹＥＳ判定時）には、ＣＰＵ１０の静止画処理部１２は、各部を制御して静止画を撮影する（ステップＳ１２）。一方、静止画撮影用キャラクタ８０が操作されていないと判定されたとき（ステップＳ１１のＮＯ判定時）には、処理をステップ０９に進める。
【００６７】
ステップＳ０９では、接続検出部７２は、カメラ本体１１０に対するグリップ２００の非接続（取り外し）を検出する。接続検出部７２によってカメラ本体１１０からグリップ２００が取り外されたことが検出されたときには（ステップＳ０９のＹＥＳ判定時）、ＣＰＵ１０のモード切替部１８は、デジタルカメラ１００の操作モードをボタン操作モードに設定する（ステップＳ１０）。
【００６８】
これに対して、接続検出部７２によってカメラ本体１１０にグリップ２００が接続されていることが検出されたときには（ステップＳ０９のＮＯ判定時）、ＣＰＵ１０のモード切替部１８は、ステップＳ０３に戻り、操作モードをキャラクタ操作モードに維持する（ステップＳ０３）。
【００６９】
以上に述べたように、ＣＰＵ１０の接続検出部７２によってカメラ本体１１０のグリップ２００が接続されていることが検出されたときには、操作モードがキャラクタ操作モードに設定される。これにより、ユーザは、グリップ２００を把持したまま撮影指示用キャラクタ８０または８２を接触することにより、撮影することができる。
【００７０】
これに対して、ステップＳ０２において、接続検出部７２によってカメラ本体１１０にグリップ２００が接続されていないことが検出されたときには（ステップＳ０２のＮＯ判定時）、ＣＰＵ１０のモード切替部１８は、デジタルカメラ１００の操作モードをボタン操作モードに設定する（ステップＳ１０）。
【００７１】
図７を参照して、ボタン操作モードにおいては、ＣＰＵ１０の操作検出部１６は、ボタン操作部４００の操作を検出する。具体的には、操作検出部１６は、モードダイヤル４４によってデジタルカメラ１００が静止画撮影モードに設定されているか否かを判定する（ステップＳ１３）。デジタルカメラ１００が静止画撮影モードに設定されているとき（ステップＳ１３のＹＥＳ判定時）には、操作検出部１６は、レリーズボタン４０が操作（押下）されたか否かを検出する（ステップＳ１４）。そして、操作検出部１６によりレリーズボタン４０が操作（押下）されたことが検出されると（ステップＳ１４のＹＥＳ判定時）、ＣＰＵ１０の静止画処理部１２は、各部を制御して静止画を撮影する。
【００７２】
一方、ステップＳ１３にて、モードダイヤル４４によってデジタルカメラ１００が動画撮影モードに設定されているとき（ステップＳ１３のＮＯ判定時）には、操作検出部１６は、レリーズボタン４０が操作（押下）されたか否かを検出する（ステップＳ１６）。そして、操作検出部１６によりレリーズボタン４０が操作（押下）されたことが検出されると（ステップＳ１６のＹＥＳ判定時）、ＣＰＵ１０の動画処理部１４は、各部を制御して動画撮影を開始する。この動画撮影の実行中において、操作検出部１６は、レリーズボタン４０がさらに操作（押下）されたか否かを判定する（ステップＳ１８）。そして、レリーズボタン４０が操作されていないと判定されたとき（ステップＳ１８のＮＯ判定時）には、処理はステップＳ１７に戻り、動画処理部１４が動画撮影を継続する。一方、操作検出部１６によりレリーズボタン４０が操作されたと判定されたとき（ステップＳ１８のＹＥＳ判定時）には、動画処理部１４は、動画撮影を停止する（ステップＳ１９）。
【００７３】
次に、接続検出部７２は、カメラ本体１１０に対するグリップ２００の接続（装着）を検出する（ステップＳ２０）。接続検出部７２によってカメラ本体１１０にグリップ２００が接続されたことが検出されたときには（ステップＳ２０のＹＥＳ判定時）、ＣＰＵ１０のモード切替部１８は、デジタルカメラ１００の操作モードをキャラクタ操作モードに設定する（図６のステップＳ０３）。
【００７４】
これに対して、接続検出部７２によってカメラ本体１１０にグリップ２００が接続されていないことが検出されたときには（ステップＳ２０のＮＯ判定時）、ＣＰＵ１０のモード切替部１８は、ステップＳ１３に戻り、操作モードをボタン操作モードに維持する（ステップＳ１３）。
【００７５】
以上に述べたように、この発明の実施の形態に係る撮像装置によれば、ユーザはカメラ本体に装着されたグリップを把持することにより、撮影に適した構え方でカメラ本体を把持することができる。そのため、長時間の撮影でも疲れずに動画撮影を行なうことができる。
【００７６】
また、ユーザはグリップを把持したまま表示部に表示された動画撮影用キャラクタを接触することにより、動画撮影を実行／停止することができる。そのため、デジタルカメラの操作性を向上できるとともに、手ぶれの発生を防止することができる。
【００７７】
さらに、表示部には、動画撮影用キャラクタと並んで静止画撮影用キャラクタが表示されていることから、ユーザは、動画撮影の実行中においてもグリップを把持したまま静止画撮影用キャラクタを接触することにより、撮影に適した構え方でカメラ本体を把持して静止画を撮影できる。これにより、手ぶれを防止できるとともに、動画撮影から静止画撮影に切替えるための操作を行なうことなく静止画を撮影できるため、撮影チャンスを逃すことを防止できる。
【００７８】
さらに、カメラ本体に装着される撮影用グリップには撮影用のボタンが設けられていないため、当該グリップを専用化する必要性が生じない。また、カメラ本体においても、当該グリップからの電気信号を受けるための専用の回路が不要となる。これにより、デジタルカメラの小型化および汎用性を保つことができる。
【００７９】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００８０】
１  撮像レンズ、２  絞り機構、３  ＣＣＤ、４  ＣＤＳ／ＡＧＣ／ＡＤ回路、５  信号処理部、６，７，８  ドライバ、１０  ＣＰＵ、１２  静止画処理部、１３  表示部、１４  動画処理部、１６  操作検出部、１８  モード切替部、２０  レンズ鏡筒、３０  ストロボ発光窓、４０  レリーズボタン、４２  電源ボタン、４４  モードダイヤル、４６  ズーム操作ボタン、４８  メニューボタン、５０  表示部、５２  タッチパネル、６０  メモリ制御部、６４  表示制御部、６８  圧縮伸張処理部、７０  接続部、７２  接続検出部、７４  Ｉ／Ｆ回路、７６  記憶媒体、７８  フラッシュメモリ、８０  静止画撮影用キャラクタ、８２  動画撮影用キャラクタ、１００  デジタルカメラ、１１０  カメラ本体、２００  グリップ、２０２  ネジ部、４００  ボタン操作部。
【図１】
2012074945.tif 000003
【図２】
2012074945.tif 000004
【図３】
2012074945.tif 000005
【図４】
2012074945.tif 000006
【図５】
2012074945.tif 000007
【図６】
2012074945.tif 000008
【図７】
2012074945.tif 000009